(57)【特許請求の範囲】
【請求項１】
二軸延伸フィルムの少なくとも片面に、酸変性ポリオレフィン樹脂（Ａ）、ポリウレタン樹脂（Ｂ）および架橋剤（Ｃ）を含有する樹脂層が形成されたフィルム積層体であり、架橋剤（Ｃ）がオキサゾリン系架橋剤（Ｃ１）を含有し、（Ａ）と（Ｂ）の質量比率（（Ａ）／（Ｂ））が、６０／４０〜９７／３であり、（Ａ）と（Ｂ）の合計１００質量部に対して、（Ｃ）が１〜２０質量部であることを特徴とする押出ラミネーション用フィルム積層体。
【請求項２】
下記の方法により測定される接着強度で評価される耐内容物性が４００ｇ／１５ｍｍ以上であることを特徴とする請求項１記載の押出ラミネーション用フィルム積層体。
耐内容物性を評価するための接着強度測定方法：
押出機を備えたラミネート装置を用いて、フィルム積層体の樹脂層表面にＬＤＰＥ（住友化学社製Ｌ２１１）を３００℃で溶融押出して、４０μｍのＬＤＰＥ層からなるヒートシール層が形成されたラミネートフィルムを得る。
ラミネートフィルムを用いて作成した包装体（ピロー型、寸法：８０ｍｍ×１５０ｍｍ）に、１０％エタノール水溶液を３０ｃｃ充填し、２０℃、６５％ＲＨの環境下で１４日保存後、１０％エタノール水溶液が接していたラミネートフィルムから幅１５ｍｍの試験片を採取する。
島津製作所社製引張試験機ＡＧ−ＩＳ型を用い、１８０°剥離法により試験片の端部からヒートシール層とフィルム積層体層の界面を剥離して接着強度を測定する。測定は２３℃、５０％ＲＨの雰囲気中、引張速度３００ｍｍ／分で行う。
【請求項３】
架橋剤（Ｃ）としてさらにメラミン系架橋剤（Ｃ２）を含有することを特徴とする請求項１または２記載の押出ラミネーション用フィルム積層体。
【請求項４】
酸変性ポリオレフィン樹脂（Ａ）の１９０℃、２１６０ｇ荷重におけるメルトフローレート（ＭＦＲ）が０．０１〜１００ｇ／１０分であることを特徴とする請求項１〜３のいずれかに記載の押出ラミネーション用フィルム積層体。
【請求項５】
請求項１記載の押出ラミネーション用フィルム積層体を製造するための方法であって、二軸延伸フィルムの少なくとも片面に、酸変性ポリオレフィン樹脂（Ａ）、ポリウレタン樹脂（Ｂ）、架橋剤（Ｃ）および水性媒体を含有し、架橋剤（Ｃ）がオキサゾリン系架橋剤（Ｃ１）を含有し、（Ａ）と（Ｂ）の質量比率（（Ａ）／（Ｂ））が、６０／４０〜９７／３であり、（Ａ）と（Ｂ）の合計１００質量部に対して、（Ｃ）が１〜２０質量部である水性分散体を塗布することを特徴とする押出ラミネーション用フィルム積層体の製造方法。
【請求項６】
請求項１記載の押出ラミネーション用フィルム積層体を製造するための方法であって、未延伸フィルムまたは一軸延伸フィルムの少なくとも片面に、酸変性ポリオレフィン樹脂（Ａ）、ポリウレタン樹脂（Ｂ）、架橋剤（Ｃ）および水性媒体を含有し、架橋剤（Ｃ）がオキサゾリン系架橋剤（Ｃ１）を含有し、（Ａ）と（Ｂ）の質量比率（（Ａ）／（Ｂ））が、６０／４０〜９７／３であり、（Ａ）と（Ｂ）の合計１００質量部に対して、（Ｃ）が１〜２０質量部である水性分散体を塗布したのち、延伸することを特徴とする押出ラミネーション用フィルム積層体の製造方法。
【発明の詳細な説明】
【技術分野】
【０００１】
本発明は、酸変性ポリオレフィン樹脂、ポリウレタン樹脂およびオキサゾリン系架橋剤を含有する樹脂層が、二軸延伸フィルムの少なくとも片面に形成された、押出ラミネーション用フィルム積層体に関するものである。
【背景技術】
【０００２】
ポリカプロンアミド（ナイロン６、Ｎ６）フィルムに代表されるポリアミド二軸延伸フィルムや、ポリエチレンテレフタレートフィルムに代表されるポリエステル二軸延伸フィルムは、その優れた力学特性、耐熱性、耐ピンホール性、耐薬品性のために、広範な用途に使用されている。これらの二軸延伸フィルムを包装用途として使用する場合には、多くの場合、ポリエチレン（ＰＥ）やポリプロピレン（ＰＰ）、エチレン−酢酸ビニル共重合体（ＥＶＡ）などのヒートシール性を有する樹脂を、二軸延伸フィルムの片面もしくは両面に積層し、これにヒートシールを施すことによって種々の包装形態としている。
【０００３】
このようなヒートシール性樹脂を二軸延伸フィルムに積層する場合、（１）ヒートシール性樹脂フィルムを、接着剤を用いて二軸延伸フィルムにラミネートする方法（ドライラミネート法）、（２）溶融したヒートシール性樹脂を二軸延伸フィルム上に押出し後、冷却固化して積層する方法（押出ラミネート法）が一般的に用いられる。後者の場合、さらに二軸延伸フィルムとヒートシール性樹脂層の中間に、同種あるいは別種のヒートシール性樹脂を押出して貼り合わせつつ積層する方法や、二軸延伸フィルムに２段階でヒートシール性樹脂を押出し積層する方法などがある。
上記（２）の押出ラミネート法は、ヒートシール性樹脂フィルムを使用せず、原料樹脂を直接二軸延伸フィルムに押出すことによって、二軸延伸フィルム上にヒートシール性樹脂をフィルム状に積層することができるため、（１）のドライラミネート法に比べて低コストであり、採用されるケースが増えている。
【０００４】
しかしながら、この押出ラミネート法においては、ポリアミドやポリエステルからなる二軸延伸フィルムとヒートシール性樹脂とが、本質的に接着性に乏しいため、両層の中間に接着剤層を設けるのが一般的である。このとき、接着剤としては、有機チタネート系、有機イソシアネート系、ポリエチレンイミン系などの接着性化合物を、一般には有機溶剤に溶かしたものが使用されるが、有機溶剤の使用は作業環境の悪化や火災の危険性があり、また、近年の環境問題への関心の高まりから、できるだけ使用を避ける方法が求められている。
【０００５】
有機溶剤を使用しない接着剤（ノンソルベント接着剤）が使用される場合もあるが、溶剤型に比べて接着力が一般に劣っており、またフィルムに塗工する場合の濡れ性にも問題があり、限定された用途にのみ使用されている。
【０００６】
このような観点から、二軸延伸フィルムに対して接着剤を使用せずに押出ラミネーションを行う技術が望まれている。
【０００７】
特許文献１には、ヒートシール性樹脂層との易接着性能を付与するために、二軸延伸フィルム上に、メラミン系架橋剤を含有する樹脂層が積層されることが開示されているが、近年、性能のニーズが高まり、より高い易接着性能が求められている。
【０００８】
特許文献２には、ヒートシール性樹脂をフィルム状に押出し、次いでその表面にオゾン処理を施し、これを活性化処理した熱可塑性樹脂フィルムの表面に圧着することで、熱可塑性樹脂フィルムへの接着性を発現させる方法が提案されている。しかしながら、この方法は、実施のために特別な装置を導入しなければならないものであった。
【０００９】
特許文献３、４には、酸変性ポリオレフィン樹脂とポリウレタン樹脂とを含有する接着剤が記載され、そして、これらの接着剤を介して、シーラント樹脂を押出しラミネートしたり、各種基材フィルムを貼り合わせることが開示されている。しかしながら、この接着剤から形成された樹脂層は、耐溶剤性に劣ることがあり、また、この樹脂層上にシーラント樹脂を押出して得られたラミネートフィルムは、包装用途に使用した場合、耐内容物性に劣ることがあるという問題があった。
【先行技術文献】
【特許文献】
【００１０】
【特許文献１】特開２００４−１４８７２９号公報
【特許文献２】特開２００１−２４６６６０号公報
【特許文献３】特開２００８−２２９９７１号公報
【特許文献４】特開２００９−２８６９２０号公報
【発明の概要】
【発明が解決しようとする課題】
【００１１】
本発明は、上記のような問題に対して、二軸延伸フィルム上に耐溶剤性に優れる樹脂層を有し、また樹脂層上にヒートシール性樹脂を押出ラミネート法によって積層しても良好な耐内容物性および接着力を得ることができ、また環境適合性においても優れるフィルム積層体を提供しようとするものである。
【課題を解決するための手段】
【００１２】
本発明者らは、上記課題を解決するために鋭意検討した結果、酸変性ポリオレフィン樹脂、ポリウレタン樹脂および特定の架橋剤を含有する樹脂層を二軸延伸フィルムに積層することによって、上記課題が解決できることを見出し、本発明に到達した。
すなわち、本発明の要旨は以下の通りである。
（１）二軸延伸フィルムの少なくとも片面に、酸変性ポリオレフィン樹脂（Ａ）、ポリウレタン樹脂（Ｂ）および架橋剤（Ｃ）を含有する樹脂層が形成されたフィルム積層体であり、架橋剤（Ｃ）がオキサゾリン系架橋剤（Ｃ１）を含有し、（Ａ）と（Ｂ）の質量比率（（Ａ）／（Ｂ））が、６０／４０〜９７／３であり、（Ａ）と（Ｂ）の合計１００質量部に対して、（Ｃ）が１〜２０質量部であることを特徴とする押出ラミネーション用フィルム積層体。
（２）下記の方法により測定される接着強度で評価される耐内容物性が４００ｇ／１５ｍｍ以上であることを特徴とする押出ラミネーション用フィルム積層体。
耐内容物性を評価するための接着強度測定方法：
押出機を備えたラミネート装置を用いて、フィルム積層体の樹脂層表面にＬＤＰＥ（住友化学社製Ｌ２１１）を３００℃で溶融押出して、４０μｍのＬＤＰＥ層からなるヒートシール層が形成されたラミネートフィルムを得る。
ラミネートフィルムを用いて作成した包装体（ピロー型、寸法：８０ｍｍ×１５０ｍｍ）に、１０％エタノール水溶液を３０ｃｃ充填し、２０℃、６５％ＲＨの環境下で１４日保存後、１０％エタノール水溶液が接していたラミネートフィルムから幅１５ｍｍの試験片を採取する。
島津製作所社製引張試験機ＡＧ−ＩＳ型を用い、１８０°剥離法により試験片の端部からヒートシール層とフィルム積層体層の界面を剥離して接着強度を測定する。測定は２３℃、５０％ＲＨの雰囲気中、引張速度３００ｍｍ／分で行う。
（３）架橋剤（Ｃ）としてさらにメラミン系架橋剤（Ｃ２）を含有することを特徴とする（１）または（２）記載の押出ラミネーション用フィルム積層体。
（４）酸変性ポリオレフィン樹脂（Ａ）の１９０℃、２１６０ｇ荷重におけるメルトフローレート（ＭＦＲ）が０．０１〜１００ｇ／１０分であることを特徴とする（１）〜（３）のいずれかに記載の押出ラミネーション用フィルム積層体。
（５）上記（１）記載の押出ラミネーション用フィルム積層体を製造するための方法であって、二軸延伸フィルムの少なくとも片面に、酸変性ポリオレフィン樹脂（Ａ）、ポリウレタン樹脂（Ｂ）、架橋剤（Ｃ）および水性媒体を含有し、架橋剤（Ｃ）がオキサゾリン系架橋剤（Ｃ１）を含有し、（Ａ）と（Ｂ）の質量比率（（Ａ）／（Ｂ））が、６０／４０〜９７／３であり、（Ａ）と（Ｂ）の合計１００質量部に対して、（Ｃ）が１〜２０質量部である水性分散体を塗布することを特徴とする押出ラミネーション用フィルム積層体の製造方法。
（６）上記（１）記載の押出ラミネーション用フィルム積層体を製造するための方法であって、未延伸フィルムまたは一軸延伸フィルムの少なくとも片面に、酸変性ポリオレフィン樹脂（Ａ）、ポリウレタン樹脂（Ｂ）、架橋剤（Ｃ）および水性媒体を含有し、架橋剤（Ｃ）がオキサゾリン系架橋剤（Ｃ１）を含有し、（Ａ）と（Ｂ）の質量比率（（Ａ）／（Ｂ））が、６０／４０〜９７／３であり、（Ａ）と（Ｂ）の合計１００質量部に対して、（Ｃ）が１〜２０質量部である水性分散体を塗布したのち、延伸することを特徴とする押出ラミネーション用フィルム積層体の製造方法。
【発明の効果】
【００１３】
本発明のフィルム積層体上に形成された樹脂層は耐溶剤性に優れ、またポリエチレン等のヒートシール性樹脂に対する接着性に優れるので、押出ラミネーション時に接着剤を用いることなく、実用上、十分なラミネート強力を有するヒートシール層を形成することが出来、またこれから得られる包装体は耐内容物性に優れる。
【発明を実施するための形態】
【００１４】
以下本発明を詳細に説明する。
本発明のフィルム積層体は、二軸延伸フィルムの少なくとも片面に、酸変性ポリオレフィン樹脂（Ａ）、ポリウレタン樹脂（Ｂ）および架橋剤（Ｃ）を含有する樹脂層が形成されているフィルム積層体である。
以下、二軸延伸フィルムを「基材フィルム」と呼び、該二軸延伸フィルム上に形成された酸変性ポリオレフィン樹脂（Ａ）とポリウレタン樹脂（Ｂ）と架橋剤（Ｃ）を含有する層を、単に「樹脂層」と呼ぶことがある。
【００１５】
（二軸延伸フィルム）
本発明において、二軸延伸フィルムを構成する樹脂としては、種々の熱可塑性樹脂が使用でき、中でもポリエチレンテレフタレート、ポリブチレンテレフタレート、ポリエチレンナフタレート、ポリブチレンナフタレート、およびこれらの混合物などのポリエステル系樹脂、あるいはポリカプロンアミド（ナイロン６）、ポリヘキサメチレンアジパミド（ナイロン６６）、ポリ−ｐ−キシリレンアジパミド（ＭＸＤ６ナイロン）、およびこれらの混合物などのポリアミド系樹脂が挙げられる。これらのポリエステルフィルム及びポリアミドフィルムは、成形性、加工性、力学特性、ガスバリア性などに優れ、包装材料として優れた性能を有している。また、基材フィルムとしては上記のポリエステルやポリアミドを含む積層体、あるいは他の熱可塑性樹脂からなるフィルムの積層体を用いてもよい。フィルムの厚みは特に限定されないが、５〜５００μｍの範囲が好ましい。
【００１６】
二軸延伸フィルムは、熱可塑性樹脂を原料として通常公知の方法で製造することができる。例えば、上述のポリエステル樹脂やポリアミド樹脂を押出機で加熱、溶融してＴダイより押出し、冷却ロールなどにより冷却固化させて未延伸フィルムを得るか、もしくは円形ダイより押出して水冷あるいは空冷により固化させて未延伸フィルムを得る。延伸フィルムを製造するには、未延伸フィルムを一旦巻き取った後、または連続して同時二軸延伸法または逐次二軸延伸法により延伸する方法が好ましい。フィルムの機械的特性や厚み均一性などの性能面からはＴダイによるフラット式製膜法とテンター延伸法を組み合わせる方法が好ましい。
【００１７】
（酸変性ポリオレフィン樹脂）
本発明で用いられる酸変性ポリオレフィン樹脂（Ａ）は、ポリオレフィンを不飽和カルボン酸成分により酸変性してなるものである。酸変性ポリオレフィン樹脂（Ａ）としては、不飽和カルボン酸またはその無水物（Ａ１）、オレフィン化合物（Ａ２）、アクリル酸またはメタクリル酸のアルキルエステル（Ａ３）の３成分からなる樹脂が最も好ましい。
【００１８】
（Ａ１）成分としては、（メタ）アクリル酸、マレイン酸、イタコン酸、フマル酸、クロトン酸等が挙げられる。不飽和カルボン酸は、塩、酸無水物、ハーフエステル、ハーフアミドなどの誘導体になっていてもよい。中でもアクリル酸、メタクリル酸、（無水）マレイン酸が好ましく、特にアクリル酸、無水マレイン酸が好ましい。また不飽和カルボン酸は、ポリオレフィン樹脂中に共重合されていればよく、その形態は限定されるものではなく、例えばランダム共重合、ブロック共重合、グラフト共重合等が挙げられる。なお、無水マレイン酸単位を含有するポリオレフィン樹脂中のマレイン酸単位は、乾燥状態では隣接カルボキシル基が脱水環化した無水マレイン酸構造を取りやすく、一方、後述する塩基性化合物を含有する水性媒体中ではその一部、または全部が開環してマレイン酸、あるいはその塩の構造を取りやすくなる。
【００１９】
（Ａ２）成分としては、エチレン、プロピレン、イソブチレン、１−ブテン、１−ペンテン、１−ヘキセン等の炭素数２〜６のオレフィン類が挙げられ、これらの混合物を用いてもよい。この中で、エチレン、プロピレン、イソブチレン、１−ブテン等の炭素数２〜４のオレフィンがより好ましく、特にエチレンが好ましい。
【００２０】
（Ａ３）成分の具体例としては、アクリル酸メチル、アクリル酸エチル、メタクリル酸メチル、メタクリル酸エチル等の（メタ）アクリル酸の低級アルキルエステルが挙げられ、アクリル酸メチル、アクリル酸エチルが好ましい。
【００２１】
上記のような（Ａ１）〜（Ａ３）の成分を有する酸変性ポリオレフィン樹脂としては、エチレン、アクリル酸メチルあるいはアクリル酸エチル、無水マレイン酸からなる三元共重合体が最も好ましい。ここで、アクリル酸エステル単位は、後述する樹脂の水性化の際に、エステル結合のごく一部が加水分解してアクリル酸単位に変化することがあるが、その様な場合には、それらの変化を加味した各構成成分の比率が規定の範囲にあればよい。
【００２２】
（Ａ１）〜（Ａ３）から構成される酸変性ポリオレフィン樹脂を用いる場合には、（Ａ１）成分をこの樹脂全体の０．０１質量％以上、５質量％未満、より好ましくは０．１質量％以上、５質量％未満、さらに好ましくは０．５質量％以上、５質量％未満含有していることが好ましく、１〜４質量％が最も好ましい。（Ａ１）成分の含有量が０．０１質量％未満の場合は、前述のように樹脂を水性化することが困難になり、良好な水性分散体を得ることが難しく、耐アルカリ性やポリエステル系フィルムとの接着性の点から（Ａ１）成分の含有量を５質量％未満とすることが好ましい。
【００２３】
また、ポリオレフィン樹脂の水性化が容易で、また耐水性等の性能が向上するという点から、（Ａ２）と（Ａ３）の質量比率（（Ａ２）／（Ａ３））は５５／４５〜９９／１とすることが好ましく、さらに、良好な接着性を持たせるために６０／４０〜９８／２であることが好ましく、７５／２５〜９５／５であることが特に好ましい。
【００２４】
本発明で用いられる酸変性ポリオレフィン樹脂（Ａ）には、その他のモノマーが、この樹脂全体の２０質量％以下で共重合されていてもよい。例えば、メチルビニルエーテル、エチルビニルエーテルなどの炭素数３〜３０のアルキルビニルエーテル類、ジエン類、（メタ）アクリロニトリル、ハロゲン化ビニル類、ハロゲン化ビニリデン類、一酸化炭素、二硫化硫黄等が挙げられる。
【００２５】
本発明で用いられる酸変性ポリオレフィン樹脂（Ａ）は、分子量の目安となる１９０℃、２１６０ｇ荷重におけるメルトフローレート（ＭＦＲ）が、０．０１〜１００ｇ／１０分であることが好ましく、１〜５０ｇ／１０分であることがさらに好ましく、２〜３０ｇ／１０分であることがより好ましい。ＭＦＲが０．０１ｇ／１０分未満では、樹脂の水性化が困難となり、一方、１００ｇ／１０分を超えると、樹脂層が硬くてもろくなり、機械的物性や加工性が低下する傾向にある。
【００２６】
酸変性ポリオレフィン樹脂（Ａ）の合成法は特に限定されないが、一般的には、ポリオレフィン樹脂を構成するモノマーをラジカル発生剤の存在下、高圧ラジカル共重合して得られる。また、不飽和カルボン酸、あるいはその無水物はグラフト共重合（グラフト変性）されていてもよい。
【００２７】
（ポリウレタン樹脂）
本発明で用いるポリウレタン樹脂（Ｂ）とは、主鎖中にウレタン結合を含有する高分子であり、例えばポリオール化合物とポリイソシアネート化合物との反応で得られるものである。本発明においては、ポリウレタン樹脂の構造は特に限定されないが、耐ボイル性の点から、ガラス転移温度が０℃以上であることが好ましく、さらに耐ブロッキング性の点から、３０℃以上が好ましく、５０℃以上がより好ましく、６０℃以上が特に好ましい。
【００２８】
ポリウレタン樹脂を構成するポリオール成分としては、特に限定されず、例えば、エチレングリコール、ジエチレングリコール、トリエチレングリコール、１，３−ブタンジオール、１，４−ブタンジオール、１，２−プロパンジオール、１，３−プロパンジオール、１，６−ヘキサンジオール、ネオペンチルグリコール、１，４−シクロヘキサンジメタノール、メチル−１，５−ペンタンジオール、１，８−オクタンジオール、２−エチル−１，３−ヘキサンジオール、ジエチレングリコール、トリエチレングリコール、ジプロピレングリコールなどの低分子量グリコール類、トリメチロールプロパン、グリセリン、ペンタエリスリトールなどの低分子量ポリオール類、エチレンオキサイドやプロピレンオキサイド単位を有するポリオール化合物、ポリエーテルジオール類、ポリエステルジオール類などの高分子量ジオール類、ビスフェノールＡやビスフェノールＦなどのビスフェノール類、ダイマー酸のカルボキシル基を水酸基に転化したダイマージオール等が挙げられる。
【００２９】
また、ポリイソシアネート成分としては、芳香族、脂肪族および脂環族の公知ジイソシアネート類の１種または２種以上の混合物を用いることができる。ジイソシアネート類の具体例としては、トリレンジジイソシアネート、４，４´−ジフェニルメタンジイソシアネート、１，３−フェニレンジイソシアネート、ヘキサメチレンジイソシアネート、キシリレンジイソシアネート、１，５−ナフチレンジイソシアネート、イソホロンジイソシアネート、ジメリールジイソシアネート、リジンジイソシアネート、水添４，４´−ジフェニルメタンジイソシアネート、水添トリレンジイソシアネート、ダイマー酸のカルボキシル基をイソシアネート基に転化したダイマージイソシアネート、およびこれらのアダクト体、ビウレット体、イソシアヌレート体などが挙げられる。また、ジイソシアネート類にはトリフェニルメタントリイソシアネート、ポリメチレンポリフェニルイソシアネートなどの３官能以上のポリイソシアネート類を用いてもよい。
【００３０】
本発明で用いられるポリウレタン樹脂（Ｂ）は、水性媒体への分散性の点から陰イオン性基を有していることが好ましい。陰イオン性基とは水性媒体中で陰イオンとなる官能基のことであり、例えば、カルボキシル基、スルホン酸基、硫酸基、リン酸基などである。この中でもカルボキシル基を有していることが好ましい。
【００３１】
ポリウレタン樹脂に陰イオン性基を導入するには、カルボキシル基、スルホン酸基、硫酸基、リン酸基などを有するポリオール成分を用いればよく、カルボキシル基を有するポリオール化合物としては、３，５−ジヒドロキシ安息香酸、２，２−ビス（ヒドロキシメチル）プロピオン酸、２，２−ビス（ヒドロキシエチル）プロピオン酸、２，２−ビス（ヒドロキシプロピル）プロピオン酸、ビス（ヒドロキシメチル）酢酸、ビス（４−ヒドロキシフェニル）酢酸、２，２−ビス（４−ヒドロキシフェニル）ペンタン酸、酒石酸、Ｎ，Ｎ−ジヒドロキシエチルグリシン、Ｎ，Ｎ−ビス（２−ヒドロキシエチル）−３−カルボキシル−プロピオンアミド等が挙げられる。
【００３２】
また、鎖長延長剤を用いて適宜ポリウレタン樹脂の分子量を調整することもできる。このような化合物としては、イソシアネート基と反応することができるアミノ基や水酸基などの活性水素を２個以上有する化合物が挙げられ、例えば、ジアミン化合物、ジヒドラジド化合物、グリコール類を用いることができる。ジアミン化合物としては、エチレンジアミン、プロピレンジアミン、ヘキサメチレンジアミン、トリエチルテトラミン、ジエチレントリアミン、イソホロンジアミン、ジシクロヘキシルメタン−４，４´−ジアミンなどが挙げられる。その他、Ｎ−２−ヒドロキシエチルエチレンジアミン、Ｎ−３−ヒドロキシプロピルエチレンジアミン等の水酸基を有するジアミン類およびダイマー酸のカルボキシル基をアミノ基に転化したダイマージアミン等も挙げられる。更に、グルタミン酸、アスパラギン、リジン、ジアミノプロピオン酸、オルニチン、ジアミノ安息香酸、ジアミノベンゼンスルホン酸等のジアミン型アミノ酸類も挙げられる。ジヒドラジド化合物としては、シュウ酸ジヒドラジド、マロン酸ジヒドラジド、コハク酸ジヒドラジド、グルタル酸ジヒドラジド、アジピン酸ジヒドラジド、セバシンジヒドラジドなどの２〜１８個の炭素原子を有する飽和脂肪族ジヒドラジド、マレイン酸ジヒドラジド、フマル酸ジヒドラジド、イタコン酸ジヒドラジド、フタル酸ジヒドラジドなどの不飽和ジヒドラジド、炭酸ジヒドラジド、カルボジヒドラジド、チオカルボジヒドラジドなどが挙げられる。グリコール類としては、前述のポリオール類から適宜選択して用いることができる。
【００３３】
本発明で用いられるポリウレタン樹脂（Ｂ）としては、アイオノマー型自己乳化型ポリウレタン樹脂、アイオノマー型自己乳化型ポリウレタン−ポリ尿素樹脂などが挙げられる。耐溶剤性を高めるためには、少なくとも両成分のどちらか一方に芳香族系の成分を用いることが好ましい。また、接着性を高めるためには、ポリマー主鎖あるいは末端に、水酸基、カルボキシル基、アミノ基を導入したものを用いることが好ましい。
【００３４】
（オキサゾリン系架橋剤（Ｃ１））
オキサゾリン系架橋剤（Ｃ１）は、分子中にオキサゾリン基を２つ以上有しているものであれば、特に限定されるものではない。例えば、２，２′−ビス（２−オキサゾリン）、２，２′−エチレン−ビス（４，４′−ジメチル−２−オキサゾリン）、２，２′−ｐ−フェニレン−ビス（２−オキサゾリン）、ビス（２−オキサゾリニルシクロヘキサン）スルフィドなどのオキサゾリン基を有する架橋剤や、オキサゾリン基含有ポリマーが挙げられる。これらの１種又は２種以上を用いることができる。
これらの中でも、取り扱いやすさからオキサゾリン基含有ポリマーが好ましい。オキサゾリン基含有ポリマーは、２−ビニル−２−オキサゾリン、２−ビニル−４−メチル−２−オキサゾリン、２−イソプロペニル−２−オキサゾリン等の付加重合性オキサゾリンを重合させることにより得られる。必要に応じて他の単量体が共重合されていてもよい。オキサゾリン基含有ポリマーの重合方法は、特に限定されず、公知の種々の重合方法を採用することができる。
この架橋剤（Ｃ１）はポリエステルとの密着性が良いという特徴を持つ。また、水系材料への応用に適したものである。ポリエステルやポリアミド二軸延伸フィルム上に塗布する場合には、水溶液中の固形分１００重量部に対して、オキサゾリン系架橋剤（Ｃ１）を１質量部以上添加することが好ましい。
【００３５】
（メラミン系架橋剤（Ｃ２））
本発明で用いられるメラミン系架橋剤（Ｃ２）とは、トリアジン環の３つの炭素原子にアミノ基がそれぞれ結合した、いわゆるメラミン［１，３，５−トリアジン−２，４，６−トリアミン］のアミノ基に種々の変性を施した化合物の総称であり、トリアジン環が複数縮合したものも含む。変性の種類としては、３つのアミノ基の水素原子のいくつかがアルキル化もしくはメチロール化されたものである。一般にアルキル化されたものよりもメチロール化もしくは置換されていない水素原子の方が反応性が高く、用途に応じて適正な種類のメラミン化合物を選定することができる。この中で好ましいのは、トリアジン環の縮合数が平均３以下で、少なくとも１つ以上のアミノ基がメチロール置換されたものであり、これらは水性媒体への分散性と樹脂との反応性の点で優れている。ポリエステルやポリアミド二軸延伸フィルム上に塗布する場合には、水溶液中の固形分１００重量部に対して、メラミン系架橋剤（Ｃ２）を１質量部以上添加することが好ましい。
【００３６】
（樹脂層）
二軸延伸フィルムに積層される樹脂層の組成は、酸変性ポリオレフィン樹脂（Ａ）とポリウレタン樹脂（Ｂ）の質量比率（（Ａ）／（Ｂ））については、６０／４０〜９７／３であることが必要であり、７０／３０〜８５／１５であることが好ましい。酸変性ポリオレフィン樹脂（Ａ）の量が６０質量％未満の場合は、目的とするポリオレフィン系のヒートシール性樹脂に対する接着性が十分得られず、また、９７質量％を超える場合は、二軸延伸フィルムとの密着性が不十分であり、望ましいラミネート強力が得られない。
【００３７】
また、架橋剤（Ｃ）については、（Ａ）と（Ｂ）の合計１００質量部に対して、１〜２０質量部であることが必要であり、２〜１０質量部であることが好ましい。架橋剤（Ｃ）の量が１質量部未満では、耐溶剤性に劣る。一方、２０質量部を超える場合は架橋剤（Ｃ）が硬化作用し、樹脂層が脆くなり、ラミネート強力が低下してしまう。
【００３８】
本発明において、樹脂層は、架橋剤（Ｃ）として、オキサゾリン系架橋剤（Ｃ１）を含有することが必要である。オキサゾリン系架橋剤（Ｃ１）を含有することにより、樹脂層は耐溶剤性に優れ、また得られる包装体は耐内容物性に優れる。
本発明において、樹脂層は、さらにメラミン系架橋剤（Ｃ２）を含有してもよい。架橋剤（Ｃ）として、オキサゾリン系架橋剤（Ｃ１）に加えてメラミン系架橋剤（Ｃ２）を含有することにより、ヒートシール性樹脂に対する接着性がさらに向上する。
【００３９】
樹脂層には、必要に応じて接着性や膜の性能に影響を与えない範囲で、帯電防止剤やスリップ剤など公知の各種添加剤を加えることができる。
【００４０】
二軸延伸フィルム上に形成される樹脂層の厚みは０．０３〜１０μｍが好ましく、０．０５〜０．２μｍがさらに好ましい。樹脂層の厚みが０．０３μｍより薄い場合には十分な接着性が得られない場合があり、１０μｍより厚くしても性能が飽和するため、それ以上の厚みを形成することは経済的ではない。また、樹脂層の厚みが０．２μｍより薄い場合には、フィルム積層体は、耐ブロッキング性が有利となる。
【００４１】
（水性分散体）
本発明において、二軸延伸フィルム上に樹脂層を形成する方法として、酸変性オレフィン樹脂（Ａ）、ポリウレタン樹脂（Ｂ）、架橋剤（Ｃ）、水性媒体を含有する水性分散体（以下、「樹脂層形成用水性分散体」と呼ぶことがある。）をフィルムに塗布後乾燥する方法が挙げられる。本発明で用いる樹脂層形成用水性分散体は、各成分が混合された塗布液の形態で、実用上十分な安定性を有していることが好ましい。実用上十分な安定性とは、塗布液を室温または所定の温度で貯蔵したとき６時間以上、好ましくは２４時間以上、より好ましくは数日以上にわたって、均一性や、粘度、性能などが変化しないことを言う。なお、本発明でいう水性分散体は、樹脂が水性媒体に分散もしくは溶解されているものであり、水性媒体とは、水を主成分とし、必要により後述する水溶性の有機溶剤や塩基性化合物を含有する液体を指す。
【００４２】
水性分散体において、架橋剤（Ｃ）は、オキサゾリン系架橋剤（Ｃ１）を含有することが必要である。また酸変性ポリオレフィン樹脂（Ａ）、ポリウレタン樹脂（Ｂ）、架橋剤（Ｃ）の組成は、上記樹脂層を形成できる組成であればよく、酸変性ポリオレフィン樹脂（Ａ）とポリウレタン樹脂（Ｂ）の質量比率（（Ａ）／（Ｂ））については、６０／４０〜９７／３であることが必要であり、７０／３０〜８５／１５であることが好ましい。また、架橋剤（Ｃ）については、（Ａ）と（Ｂ）の合計１００質量部に対して、１〜２０質量部であることが必要であり、２〜１０質量部であることが好ましい。
【００４３】
本発明において、酸変性ポリオレフィン樹脂（Ａ）の水性分散体を得るためには、たとえば、酸変性ポリオレフィン樹脂（Ａ）と水とを、必要に応じて塩基性化合物や有機溶剤と共に、密閉可能な容器中で加熱、攪拌する方法を用いることができる。
【００４４】
この際、塩基性化合物の添加は、酸変性ポリオレフィン樹脂（Ａ）のカルボキシル基を中和して、生成したアニオン間の静電気的反発力によって微粒子間の凝集が防がれ、水性分散体に安定性が付与されるため、好ましい。塩基性化合物の添加量は酸変性ポリオレフィン樹脂（Ａ）中のカルボキシル基に対して０．５〜３．０倍当量であることが好ましく、０．８〜２．５倍当量がより好ましく、１．０〜２．０倍当量が特に好ましい。０．５倍当量未満では、塩基性化合物の添加効果が認められず、３．０倍当量を超えると樹脂層形成時の乾燥時間が長くなったり、水分散液が着色する場合がある。
【００４５】
塩基性化合物の具体例としては、ＬｉＯＨ、ＫＯＨ、ＮａＯＨ等の金属水酸化物やアンモニア又は有機アミン化合物が挙げられる。中でも、樹脂層形成時に揮発する化合物を用いることがフィルム積層体の製造工程上好ましく、アンモニアまたは沸点２５０℃以下の有機アミン化合物が好ましい。このような有機アミン化合物の具体例としては、トリエチルアミン、Ｎ，Ｎ−ジメチルエタノールアミン、アミノエタノールアミン、Ｎ−メチル−Ｎ，Ｎ−ジエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、メチルイミノビスプロピルアミン、３−メトキシプロピルアミン、モノエタノールアミン、ジエタノールアミン、トリエタノールアミン、モルホリン、Ｎ−メチルモルホリン、Ｎ−エチルモルホリン等を挙げることができる。
【００４６】
酸変性ポリオレフィン樹脂（Ａ）の水性分散体の製造において、樹脂の分子量がある程度大きい場合には、有機溶剤を添加することが好ましい。このとき用いる有機溶剤の添加量は水性分散体１００質量部に対して１〜４０質量部であることが好ましく、２〜３０質量部がより好ましく、３〜２０質量部が特に好ましい。有機溶剤の添加量が２０質量部を超える場合には、常圧または減圧下で水性分散体を攪拌しながら加熱することにより（ストリッピング）、有機溶剤の含有量を低減させ、０．０１質量％程度にすることができる。
【００４７】
有機溶剤としては、２０℃における水に対する溶解性が５ｇ／Ｌ以上のものが好ましく用いられ、１０ｇ／Ｌ以上のものがさらに好ましく用いられる。そのような有機溶剤の具体例としては、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノール等のアルコール類、メチルエチルケトン、メチルイソブチルケトン、エチルブチルケトン、シクロヘキサノン、イソホロン等のケトン類、テトラヒドロフラン、ジオキサン等のエーテル類、酢酸エチル、酢酸−ｎ−プロピル、酢酸イソプロピル、酢酸−ｎ−ブチル、酢酸イソブチル、酢酸−ｓｅｃ−ブチル、酢酸−３−メトキシブチル、プロピオン酸メチル、プロピオン酸エチル、炭酸ジエチル、炭酸ジメチル等のエステル類、エチレングリコール、エチレングリコールモノメチルエーテル、エチレングリコールモノエチルエーテル、エチレングリコールモノプロピルエーテル、エチレングリコールモノブチルエーテル、エチレングリコールエチルエーテルアセテート、ジエチレングリコール、ジエチレングリコールモノメチルエーテル、ジエチレングリコールモノエチルエーテル、ジエチレングリコールモノブチルエーテル、ジエチレングリコールエチルエーテルアセテート、プロピレングリコール、プロピレングリコールモノメチルエーテル、プロピレングリコールモノブチルエーテル、プロピレングリコールメチルエーテルアセテート等のグリコール誘導体、さらには、３−メトキシ−３−メチルブタノール、３−メトキシブタノール、アセトニトリル、ジメチルホルムアミド、ジメチルアセトアミド、ジアセトンアルコール、アセト酢酸エチル等が挙げられ、中でも、樹脂の水性化がし易く、しかも水性媒体中から有機溶剤を除去し易いという点から、エタノール、ｎ−プロパノール、イソプロパノール、ｎ−ブタノール、メチルエチルケトン、シクロヘキサノン、テトラヒドロフラン、ジオキサン、エチレングリコールモノエチルエーテル、エチレングリコールモノプロピルエーテル、エチレングリコールモノブチルエーテルが好ましく、低温乾燥性の点からイソプロパノールが特に好ましい。
【００４８】
なお、上述のような製造方法によれば、一般に水性分散体の製造において用いられる乳化剤成分や保護コロイド作用を有する化合物を添加しなくても水性分散体を得ることができるが、樹脂の水系媒体への分散をさらに容易にするために、乳化剤あるいは保護コロイド作用を有する化合物を反応系内に加えることもできる。しかしながら、こうした化合物は一般的に不揮発性であるので、フィルム積層体の樹脂層中にも残存し、これを可塑化する作用を有するため、耐水性や耐薬品性を悪化させる。耐水性が悪化した場合、フィルム積層体を用いて水分を含む内容物を包装したときなどに、袋の破裂の原因となる恐れがある。また、耐薬品性が悪化した場合は、フィルムの表面に印刷を施す場合にインキの溶剤に表面が侵され、性能低下や印刷品位の悪化が生じやすい。そのため、乳化剤あるいは保護コロイド作用を有する化合物の使用はできるだけ少量にとどめるほうがよい。
【００４９】
本発明で言う乳化剤としては、カチオン性乳化剤、アニオン性乳化剤、ノニオン性乳化剤、あるいは両性乳化剤が挙げられ、一般に乳化重合に用いられるもののほか、界面活性剤類も含まれる。例えば、アニオン性乳化剤としては、高級アルコールの硫酸エステル塩、高級アルキルスルホン酸塩、高級カルボン酸塩、アルキルベンゼンスルホン酸塩、ポリオキシエチレンアルキルサルフェート塩、ポリオキシエチレンアルキルフェニルエーテルサルフェート塩、ビニルスルホサクシネート等が挙げられ、ノニオン性乳化剤としては、ポリオキシエチレンアルキルエーテル、ポリオキシエチレンアルキルフェニルエーテル、ポリエチレングリコール脂肪酸エステル、エチレンオキサイドプロピレンオキサイドブロック共重合体、ポリオキシエチレン脂肪酸アミド、エチレンオキサイド−プロピレンオキサイド共重合体などのポリオキシエチレン構造を有する化合物やソルビタン誘導体等が挙げられ、両性乳化剤としては、ラウリルベタイン、ラウリルジメチルアミンオキサイド等が挙げられる。
【００５０】
保護コロイド作用を有する化合物としては、ポリビニルアルコール、カルボキシル基変性ポリビニルアルコール、カルボキシメチルセルロース、ヒドロキシエチルセルロース、ヒドロキシプロピルセルロース、変性デンプン、ポリビニルピロリドン、ポリアクリル酸およびその塩、カルボキシル基含有ポリエチレンワックス、カルボキシル基含有ポリプロピレンワックス、カルボキシル基含有ポリエチレン−プロピレンワックスなどの数平均分子量が通常は５０００以下の酸変性ポリオレフィンワックス類およびその塩、アクリル酸−無水マレイン酸共重合体およびその塩、スチレン−（メタ）アクリル酸共重合体、イソブチレン−無水マレイン酸交互共重合体、（メタ）アクリル酸−（メタ）アクリル酸エステル共重合体等の不飽和カルボン酸含有量が１０質量％以上のカルボキシル基含有ポリマーおよびその塩、ポリイタコン酸およびその塩、アミノ基を有する水溶性アクリル系共重合体、ゼラチン、アラビアゴム、カゼイン等、一般に微粒子の分散安定剤として用いられている化合物が挙げられる。
【００５１】
水性分散体を製造するための装置としては、液体を投入できる槽を備え、槽内に投入された水性媒体と樹脂粉末ないしは粒状物との混合物を適度に撹拌できるものであればよい。そのような装置としては、固／液撹拌装置や乳化機として広く当業者に知られている装置を使用することができ、０．１ＭＰａ以上の加圧が可能な装置を使用することが好ましい。撹拌の方法、撹拌の回転速度は特に限定されない。なお、水性化速度を速めるという点から、原料樹脂の粒子径は１ｃｍ以下、好ましくは０．８ｃｍ以下の粒状ないしは粉末状のものを用いることが好ましい。
【００５２】
この装置の槽内に既述の各原料を投入し、好ましくは４０℃以下の温度で攪拌混合しておく。次いで、槽内の温度を５０〜２００℃、好ましくは６０〜２００℃に保ちつつ、好ましくは５〜１２０分間攪拌を続けることにより樹脂を十分に水性化させ、その後、好ましくは攪拌下で４０℃以下に冷却することにより、水性分散体を得ることができる。槽内の温度が５０℃未満の場合は、樹脂の水性化が困難になる。槽内の温度が２００℃を超える場合は、ポリオレフィン樹脂の分子量が低下する恐れがある。
【００５３】
槽内の加熱方法としては槽外部からの加熱が好ましく、例えば、オイルや水を用いて槽を加熱する、あるいはヒーターを槽に取り付けて加熱を行うことができる。槽内の冷却方法としては、例えば、室温で自然放冷する方法や０〜４０℃のオイルまたは水を使用して冷却する方法を挙げることができる。
【００５４】
なお、この後、必要に応じてさらにジェット粉砕処理を行ってもよい。ここでいうジェット粉砕処理とは、水性分散体を高圧下でノズルやスリットのような細孔より噴出させ、樹脂粒子同士や樹脂粒子と衝突板等とを衝突させて、機械的なエネルギーによって樹脂粒子をさらに細粒化することであり、そのための装置の具体例としては、Ａ．Ｐ．Ｖ．Ａ．ＧＡＵＬＩＮ社製ホモジナイザー、みずほ工業社製マイクロフルイタイザーＭ−１１０Ｅ／Ｈ等が挙げられる。
【００５５】
（混合方法）
上述のように、本発明のフィルム積層体を製造する方法としては、酸変性オレフィン樹脂（Ａ）、ポリウレタン樹脂（Ｂ）、架橋剤（Ｃ）を含有する樹脂層形成用水性分散体を二軸延伸フィルム上に塗布する方法が例示される。この水性分散体は、前述の酸変性ポリオレフィン樹脂（Ａ）の水性分散体と、他の成分とを、適当な容器中、所定量混合して調製することができる。容器に仕込む順番はいずれが先でもよくまた同時に仕込んでもよい。
【００５６】
（樹脂層形成法）
基材フィルムに樹脂層形成用水性分散体を塗布する場合、二軸延伸されたフィルムに塗布後、乾燥、熱処理してもよく、また、配向が完了する以前の未延伸フィルム、あるいは一軸延伸の終了したフィルムに該水性分散体を塗布し、乾燥後あるいは乾燥と同時に延伸し配向を完了させてもよい。本発明のフィルム積層体は耐ブロッキング性に優れるので、未延伸フィルムや一軸延伸フィルム上に水性分散体を塗布して樹脂層を形成し、次いでフィルムを延伸するインライン法を適用して製造することができる。
【００５７】
樹脂層形成用水性分散体の塗布方法は特に限定されるものではなく、通常公知の方法から選定される。例えばグラビアロール法、リバースロール法、エアーナイフ法、リバースグラビア法、メイヤーバー法、インバースロール法、又はこれらの組み合わせによる各種コーティング方式や、各種噴霧方式などを採用することができる。また、コーターの前にコロナ処理装置などを設置し、基材フィルムの濡れ張力を調整することができる。
【実施例】
【００５８】
次に、実施例に基づいて本発明を具体的に説明する。使用した原料や酸変性ポリオレフィン樹脂の水性分散体の作製方法は次の通りである。
【００５９】
（Ａ）酸変性ポリオレフィン樹脂：
（Ａ−１）アルケマ社製  ボンダインＨＸ−８２９０（エチレン／アクリル酸エチル／無水マレイン酸＝８０／１８／２（質量％）、ＭＦＲ：６５ｇ／１０分、融点８１℃）
（Ａ−２）アルケマ社製  ボンダインＴＸ−８０３０（エチレン／アクリル酸エチル／無水マレイン酸＝８５／１２／３（質量％）、ＭＦＲ：３ｇ／１０分、融点９５℃）
（Ａ−３）アルケマ社製  ボンダインＨＸ−８１４０（エチレン／アクリル酸エチル／無水マレイン酸＝７８／１９／３（質量％）、ＭＦＲ：２０ｇ／１０分、融点８０℃）
【００６０】
（Ｂ）ポリウレタン樹脂：
（Ｂ−１）ＤＩＣ社製  ハイドランＷＬＡ−４０４
【００６１】
（Ｃ１）オキサゾリン系架橋剤：
（Ｃ１−１）日本触媒社製  エポクロスＷＳ−７００
【００６２】
（Ｃ２）メラミン系架橋剤：
（Ｃ２−１）日本サイテックインダストリーズ社製  サイメル３２５
【００６３】
（Ｃ３）カルボジイミド系架橋剤：
（Ｃ３−１）日清紡ケミカル社製  カルボジライトＶ−０２
【００６４】
参考例１
（酸変性ポリオレフィン水性分散体Ｅ−１の作製）
ヒーター付の密閉できる耐圧１リットル容ガラス容器を備えた攪拌機を用いて、６０．０ｇの酸変性ポリオレフィン樹脂（アルケマ社製  ボンダインＨＸ−８２９０）、９０．０ｇのイソプロピルアルコール（和光純薬社製、以下、ＩＰＡと略称する場合がある）、３．０ｇのＮ，Ｎ−ジメチルエタノールアミン（和光純薬社製、以下、ＤＭＥＡと略称する場合がある）および１４７．０ｇの蒸留水をガラス容器に仕込んだ。そして、撹拌翼の回転速度を３００ｒｐｍとし、系内温度を１４０〜１４５℃に保って、３０分間撹拌した。その後、水浴につけて、回転速度３００ｒｐｍのまま撹拌しつつ室温（約２５℃）まで冷却し、酸変性ポリオレフィン樹脂水性分散体とした。さらに、酸変性ポリオレフィン樹脂水性分散体と１８０ｇの蒸留水を二口丸底フラスコに仕込み、メカニカルスターラーとリービッヒ型冷却器を設置した上で、フラスコをオイルバスで加熱していき、水性媒体を留去した。約１８０ｇの、水とＩＰＡを留去したところで、加熱を終了し、室温まで冷却した。冷却後、フラスコ内の液状成分を３００メッシュのステンレス製フィルター（線径０．０３５ｍｍ、平織）で加圧濾過（空気圧０．２ＭＰa）することで、乳白色の酸変性ポリオレフィン樹脂水性分散体Ｅ−１を得た。
【００６５】
参考例２
（酸変性ポリオレフィン水性分散体Ｅ−２の作製）
酸変性ポリオレフィン樹脂として、「アルケマ社製  ボンダインＴＸ−８０３０」を用いた以外は、参考例１と同様の操作を行って、酸変性ポリオレフィン水性分散体Ｅ−２を得た。
【００６６】
参考例３
酸変性ポリオレフィン樹脂として、「アルケマ社製  ボンダインＨＸ−８１４０」を用いた以外は、参考例１と同様の操作を行って、酸変性ポリオレフィン水性分散体Ｅ−３を得た。
【００６７】
本発明における評価方法は次の通りである。
（１）耐溶剤性
樹脂層形成用水性分散体をハンドコート法により二軸延伸ＰＥＴフィルム（ユニチカ社製エンブレット、厚み１２μｍ）に塗布した。塗布後、１４０℃、３０秒の条件で乾燥した。その後、エタノールをしみこませた１６枚重ねのガーゼをハンマー（９０７ｇ（２ポンド））の頭部に固定し、これで塗膜面上を５往復こすり、状態を観察した。なお、この時、ハンマーの自重のみを負荷にするように垂直方向へ力を加えないようにした。
○：変化なし。
△：白化。
×：コートはがれ。
【００６８】
（２）接着強度
押出機を備えたラミネート装置を用いて、フィルム積層体の樹脂層表面にＬＤＰＥ（住友化学社製Ｌ２１１）を３００℃で溶融押出して、４０μｍのＬＤＰＥ層からなるヒートシール層が形成されたラミネートフィルムを得た。このラミネートフィルムから幅１５ｍｍの試験片を採取し、島津製作所社製引張試験機ＡＧ−ＩＳ型を用い、１８０°剥離法により試験片の端部からヒートシール層とフィルム積層体層の界面を剥離して接着強度を測定した。測定は２３℃、５０％ＲＨの雰囲気中、引張速度３００ｍｍ／分で行った。実用上、接着強度は４００ｇ／１５ｍｍ以上が好ましい。
【００６９】
（３）耐内容物性
上記（２）に記載のラミネートフィルムを用いて作成した包装体（ピロー型、寸法：８０ｍｍ×１５０ｍｍ）に、１０％エタノール水溶液を３０ｃｃ充填し、２０℃、６５％ＲＨの環境下で１４日保存後、１０％エタノール水溶液が接していたラミネートフィルムから幅１５ｍｍの試験片を採取し、（２）に記載の方法により接着強度を測定し、耐内容物性を評価した。
【００７０】
実施例１
表１に示す配合比になるように、各成分を混合し、樹脂層形成用水性分散体を調製した。固形分濃度については１１．７質量％になるように純水で調整した。
ポリエチレンテレフタレート樹脂（日本エステル社製、固有粘度０．６）をＴダイを備えた押出機（７５ｍｍ径、Ｌ／Ｄが４５の緩圧縮タイプ単軸スクリュー）を用いて、シンリンダー温度２６０℃、Ｔダイ温度２８０℃でシート状に押出し、表面温度２５℃に調節された冷却ロール上に密着させて急冷し、厚み１２０μｍの未延伸フィルムとした。
続いて、９０℃で縦方向に３．４倍延伸させた後、グラビアロール式コーターに導き、メイヤーバー法と組み合わせることにより、上記樹脂層形成用水性分散体を、乾燥後の樹脂層厚みが０．２μｍになるように塗布し、次に、温度９０℃で２秒間予熱した後、横方向に３．５倍の倍率で延伸した。なお、横方向弛緩率は２％であった。得られたフィルム積層体におけるポリエチレンテレフタレート層の厚みは１２μｍであった。
得られたフィルム積層体の評価結果を表１に示した。
【００７１】
実施例２〜９、比較例１〜７
樹脂層形成用水性分散体における各成分の配合比を表１に示すように変更した以外は、実施例１と同様の操作を行い、フィルム積層体を得た。得られたフィルム積層体の評価結果を表１に示した。
【００７２】
【表１】
0005836687.tif 000002
【００７３】
実施例で得られたフィルム積層体は、耐溶剤性に優れ、またヒートシール性樹脂層との接着性に優れるものであり、またこれから得られる包装体は耐内容物性に優れるものであった。
これに対して、比較例１、２では、酸変性ポリオレフィン樹脂（Ａ）とポリウレタン樹脂（Ｂ）の質量比率が、本発明で規定する範囲外であるため、接着強度に劣るものであった。また、比較例３、４では、架橋剤の含有量が本発明で規定する範囲外であるため、耐溶剤性に劣るもしくは接着力が劣るものであった。比較例５では、本発明で規定するオキサゾリン系架橋剤（Ｃ１）以外の架橋剤を使用したものであるため、耐溶剤性に劣るものであった。比較例６では、架橋剤としてメラミン系架橋剤（Ｃ２）のみを使用したため、接着力および耐溶剤性は十分であったが、オキサゾリン系架橋剤（Ｃ１）を使用しているものと比較すると耐内容物性に劣るものであった。また、比較例７は、架橋剤を使用していないため、耐溶剤性および耐内容物性に劣るものであった。